(57)【要約】【課題】  発光部と受光部との間で遮光する際に、カバーを曲率がほぼ一定に形成しつつ、遮光部品を不要とする。【解決手段】  筐体９では、基部１０にカバー１２が取り付けられている。カバー１２は、曲率がほぼ一定で内部が空洞である。カバー１２は、到来した赤外線の一部を通過させ、残りを反射する。カバー１２の内面に、仕切板１４の外周部が接触し、カバー１２の内部を第１及び第２の部屋１６，１８に仕切っている。第１の部屋１６に発光部６が配置され、カバー１２に向けて赤外線を発光する。第２の部屋１８に受光部４が配置され、第２の部屋１８に向けてカバー１２から入光する赤外線を受光する。受光部４と発光部６とは、同時に動作している。【選択図】        図１
2005268606.tif 000002
【特許請求の範囲】
【請求項１】
曲率がほぼ一定で、内部が空洞のカバーを有し、このカバーは、赤外線の一部を透過し、残りを反射する筐体と、
前記カバーの内面に、外周部が接触し、前記カバーの内部を第１及び第２の部屋に仕切る第１仕切板と、
第１の部屋に配置され、前記カバーに向けて赤外線を発光する第１発光部と、
第２の部屋に配置され、第２の部屋に向けて前記カバーから入光する赤外線を受光し、前記発光部と同時に動作する受光部とを、
具備する赤外線発受光装置。
【請求項２】
請求項１記載の赤外線発受光装置において、
第１の部屋が前記カバーの大径部側に、第２の部屋が前記カバーの小径部側に、位置するように第１の仕切板が設けられ、第２の部屋内において前記カバーの内面に第２の仕切板の外周部が接触するように第２の仕切板が設けらることによって、第２の仕切板と前記カバーの先端側との間に第３の部屋が形成され、第３の部屋に第２発光部が前記カバー側に向けて赤外線を発光するように設けられた赤外線発受光装置。
【請求項３】
請求項１記載の赤外線発受光装置において、
第１の部屋が前記カバーの大径部側に、第２の部屋が前記カバーの小径部側に、位置するように第１の仕切板が設けられ、第２の部屋内において前記受光部を構成する各受光素子よりも内側に、第２の発光部の発光素子が、これら発光素子からの赤外線の前記カバーでの反射光が前記各受光素子に非入射となるように配置されている赤外線発受光装置。
【請求項４】
請求項１記載の赤外線発受光装置において、
第１の部屋が前記カバーの大径部側に、第２の部屋が前記カバーの小径部側に、位置するように第１の仕切板が設けられ、第２の部屋に第２の発光部が前記カバー側に向けて発光するように設けられ、前記カバーの内面から第２の発光部の周囲を遮光体によって覆った赤外線発受光装置。
【請求項５】
請求項１記載の赤外線発受光装置において、
第１の発光部の放射強度が最大になる方向が第１の仕切板にほぼ平行となるように第１の発光部が設けられ、前記受光部の受光強度が最大となる方向が第１の仕切板にほぼ平行になるように前記受光部も設けられている赤外線発受光装置。
【請求項６】
請求項１記載の赤外線発受光装置において、
第１の部屋が前記カバーの大径部側に、第２の部屋が前記カバーの小径部側に、位置するように第１の仕切板が設けられ、第１の部屋に第２の部屋と反対側の方向に赤外線を発光するように第１の発光部が設けられ、第１の発光部からの赤外線を前記カバー側に反射する反射手段を設けた赤外線発受光装置。
【発明の詳細な説明】
【技術分野】
【０００１】
本発明は、赤外線を発光及び受光する装置に関し、特に、１つの筐体内に同時に動作する発光部と受光部とが配置されているものに関する。
【背景技術】
【０００２】
赤外線発受光装置は、例えば会議場等で音声信号を光通信によって伝送する場合に使用されることがある。この赤外線発受光装置の一例が特許文献１に開示されている。
【０００３】
この特許文献１の赤外線発受光装置では、ハウジングのベースカバーにフロントカバーが取り付けられている。フロントカバーは、中途に段部を有するドーム状に形成されている。フロントカバー内において段部付近に基板が配置されている。この基板の周縁部とフロントカバーの段部付近の内面との間には隙間がある。この基板におけるフロントカバーの先端側の面に受光部が設けられている。基板よりもベースカバー側によったフロントカバー内に発光部が設けられている。発光部は、フロントカバーの段部よりも外方側に配置されている。受光部を覆うように電磁シールドケースが配置されている。この電磁シールドケースの周縁部には、フロントカバーの段部付近の内面と上記基板の周縁部との隙間を覆うように遮光フランジが形成されている。
【０００４】
【特許文献１】特開２００２−１９０６１７号公報
【発明の開示】
【発明が解決しようとする課題】
【０００５】
上記の赤外線発受光装置では、フロントカバーを段部を持たない曲率が一定な半球状とした場合、基板とフロントカバーの内面との間の隙間が大きくなり、遮光フランジも大きくなる。そのため、フロントカバーに段部を形成し、基板と段部との間の隙間を小さくしていると考えられる。このように段部をフロントカバーに設けているので美観が損なわれる上に、電磁シールドケースにわざわざ遮光フランジを形成しなければならない。
【０００６】
本発明は、カバーに段部を設ける必要が無く、また遮光用部品を別途設けずに、遮光が可能な赤外線発受光装置を提供することを目的とする。
【課題を解決するための手段】
【０００７】
本発明の一態様による赤外線発受光装置は、筐体を有している。この筐体はカバーを備えている。このカバーは、曲率がほぼ一定で、内部が空洞である。カバーとしては、いわゆる半球状のものや、半楕円球状のものを使用することができる。このカバーは、カバーに到来した赤外線の一部を透過し、残りを反射する。カバーの内面に、第１の仕切板の外周部が接触し、カバーの内部を第１及び第２の部屋に仕切っている。第１の仕切板は、これがカバーを横断するように配置することができる。第１の部屋に第１発光部が配置され、第１発光部はカバーに向けて赤外線を発光する。第２の部屋に受光部が配置され、受光部は第２の部屋に向けてカバーから入光する赤外線を受光する。この受光部は、第１発光部と同時に動作する。第１の部屋をカバーの小径部側に設け、第２の部屋をカバーの大径部側に設けることもできるし、逆に第１の部屋をカバーの大径部側に設け、第２の部屋をカバーの小径部側に設けることもできる。
【０００８】
第１発光部と受光部とが同時に動作していると、第１発光部からの赤外線がカバーによって反射され、反射赤外線が受光部で受光され、誤動作する可能性がある。しかし、第１の仕切板の外周部がカバーの内面に接触した状態で第１の仕切板が配置されているので、第１の部屋と第２の部屋とは、第１の仕切板によって遮光されている。従って、たとえ第１の発光部からの赤外線がカバーによって反射されても、受光部において受光されることはない。また、カバーは曲率がほぼ等しいものとされているので、その外形に段部はなく、赤外線発受光装置の外観を損ねることもない。
【０００９】
上記態様において、第１の部屋が前記カバーの大径部側に、第２の部屋が前記カバーの小径部側に、位置するように第１の仕切板を設けることができる。この場合、第２の部屋内において前記カバーの内面に第２の仕切板の外周部が接触するように第２の仕切板が設けらることによって、第２の仕切板と前記カバーの先端側との間に第３の部屋が形成される。第３の部屋に第２発光部がカバー側に向けて赤外線を発光するように設けられている。
【００１０】
大径部側に第１の発光部を設けた場合、第１の仕切板によって遮光されるので、カバーの先端側に赤外線を発光することができない。そのため、小径部側にある第２の部屋において第２の仕切板とカバーの先端側との間に第３の部屋を形成し、第３の部屋に第２の発光部を設けて、カバーの先端側にも赤外線を投光している。第２の仕切板によって第３の部屋と第２の部屋とは遮光されているので、第２の発光部からの赤外線の反射光が受光部に入射することはない。
【００１１】
上記と同様に、第１の部屋が前記カバーの大径部側に、第２の部屋が前記カバーの小径部側に、位置するように第１の仕切板が設けられた場合、第２の部屋内において前記受光部を構成する各受光素子よりも内側に、第２の発光部の発光素子が配置されることがある。この場合、これら発光素子からの赤外線のカバーでの反射光が各受光素子にほぼ非入射となるように第２の発光部の発光素子は配置されている。
【００１２】
このように構成した場合、カバーの先端側に赤外線を投光することができる上に、カバーで反射された赤外線は、各受光素子にほぼ非入射となるので、第２の部屋内に第２の発光部を収容するための第３の部屋を設ける必要がない。なお、受光部をカバーに接近して設けることによって、第２の発光部からの反射光が受光部に入射しないようにすることができる。
【００１３】
上述したように、第１の部屋が前記カバーの大径部側に、第２の部屋が前記カバーの小径部側に、位置するように第１の仕切板が設けられ、第２の部屋に第２の発光部が前記カバー側に向けて発光するように設けられた場合、前記カバーから第２の発光部の周囲を覆うように遮光体を設けることもできる。
【００１４】
このように構成した場合、カバーの先端側に赤外線を投光することができる上に、カバーで反射された赤外線は、遮光体から外部に出ることはなく、受光部によって受光されることはない。
【００１５】
上述したように、第１の部屋が前記カバーの大径部側に、第２の部屋が前記カバーの小径部側に、位置するように第１の仕切板が設けられた場合、第１の部屋に第２の部屋と反対側の方向に赤外線を発光するように第１の発光部を設けることができる。この場合、第１の発光部からの赤外線を前記カバー側に反射する反射手段を第１の部屋に設けてある。
【００１６】
このように構成した場合、反射手段を適切に配置すると、所望の方向に赤外線を投光することができる。なお、第１の発光部としては、最小限度１つの発光素子を設けるだけでよく、或いは複数個の発光素子を適当な間隔をおいて配置することもできる。
【００１７】
上記の態様において、第１の発光部をその放射強度が最大となる方向が第１の仕切板にほぼ平行に設けることができる。この場合、受光部もその受光強度最大となる方向が第１の仕切板にほぼ平行に設けられている。
【００１８】
このように構成した場合、第１の発光部からの光はたとえカバーによって反射されても、受光部に入射する可能性は少なく、仮に反射された赤外線の一部が受光部に向かっても第１の仕切板によって遮光されるので、受光部に入射することはない。また、第１の部屋が前記カバーの大径部側に、第２の部屋が前記カバーの小径部側に、位置するように第１の仕切板が設けられた場合、受光部はカバーの大径部側にある第２の部屋に配置されているので、小径部側にある第１の部屋に外部から外乱光が入射しても、この外乱光は第１の仕切板によって遮光されて、受光部に入射することはない。
【発明の効果】
【００１９】
以上のように、本発明によれば、カバーに段部を設けなくても、かつ遮光用部品を別途設けなくても、発光部と受光部との間で遮光することができる。
【発明を実施するための最良の形態】
【００２０】
本発明の第１の実施形態の赤外線発受光装置２は、例えば赤外線コードレスマイクロホンシステムにおいて使用される。赤外線コードレスマイクロホンシステムは、複数の送受話セットを備えている。これら送受話セットは、例えば会議場の机上に配置される。送受話セットに設けられたマイクロホンにおいてピックアップされた音声信号によって所定周波数の搬送波が所定方式によって変調される。この変調信号に基づいて、送受話セットに設けられた赤外線発光部が変調された赤外線を発光する。この赤外線は、この送受話セットに対応する赤外線発受光装置２に向けて投光される。赤外線発受光装置２は、例えば天井に設けられている。この赤外線発受光装置２には、受光部４が設けられ、送受話セットからの赤外線を受光し、上記変調信号に変換する。この変調信号がメイン制御部に伝送され、更に他の赤外線発受光装置２に伝送され、赤外線発受光装置２に設けられている第１の赤外線発光部６が変調された赤外線を発光し、対応する送受話セットに向けて投光される。送受話セットには赤外線受光部が設けられ、これによって変調信号に変換される。この変調信号から音声信号が復調され、送受話セットに設けられているスピーカから拡声される。なお、１つの赤外線発受光装置では、対応する送受話セットから赤外線を受光するとき、同時に他の送受話セットからの変調信号に基づく赤外線を対応する送受話セットに向けて送信することがある。即ち、赤外線受光部４と赤外線発光部６とが同時に動作することがある。この場合に、赤外線受光部４に同じ赤外線発受光装置２の赤外線発光部６からの赤外線が入射すると、赤外線受光部４は誤動作する。
【００２１】
図１に示すように、赤外線発受光装置２は、筐体９を有している。筐体９は、基部１０を備え、この基部１０が例えば天井に取り付けられている。この基部１０に着脱自在にカバー１２が取り付けられている。このカバー１２は、曲率がほぼ一定な形状、例えば半球状に形成されている。即ち、カバー１２の中途には段部が存在しない。カバー１２の先端側が天井より最も離れるように基部１０にカバー１２が取り付けられている。カバー１２は、それの外部から内部に投射される赤外線の一部を内部に透過し、残りを反射し、カバー１２の内部からカバー１２の外部に向けて投光される赤外線の一部を外部に透過し、残りを反射する材質によって構成されている。
【００２２】
カバー１２の内部には、第１の仕切板１４が配置されている。仕切板１４は、その外周面がカバー１２の内面に接触した状態で、ほぼ水平に配置されている。仕切板１４としては、例えばプリント基板を使用することができ、遮光性を有している。この仕切板１４によってカバー１２の内部は、第１の部屋１６と第２の部屋１８とに仕切られている。第１の部屋１６は、基部１０に近いカバー１２の大径部分にあり、第２の部屋１８は、基部１０から遠いカバー１２の小径部分、即ち先端側にある。
【００２３】
第１の部屋１６には、赤外線発光部６を構成する複数の赤外線発光素子、例えば赤外線発光ダイオード２０が配置されている。これら赤外線発光ダイオード２０は、カバー１２に接近して例えば環状に配置され、カバー１２を介して外方に向けて赤外線を投光するように傾けてある。なお、これら赤外線発光ダイオード２０は、基部１０側に配置された基板２２上に取り付けられている。
【００２４】
第２の部屋１８には、赤外線受光部４を構成する複数の赤外線受光素子、例えばフォトダイオード２４が配置されている。これらフォトダイオード２４は、外部からカバー１２の第２の部屋１８に向かって到来する赤外線を受光するように、その受光面をカバー１２側に向けて環状に配置されている。これらフォトダイオード２４は、仕切板１２であるプリント基板の第２の部屋１８側の面に取り付けられている。即ち、仕切板１２は、本来、フォトダイオード２４が取り付けられるプリント基板であって、それを幾分大きくして、その周縁部をカバー１２に接触させて、第１及び第２の部屋１６、１８にカバー１２内を仕切っている。
【００２５】
このように構成された赤外線発受光装置２では、上述したように赤外線発光部６と赤外線受光部４とが同時に動作することがある。この場合、赤外線発光部６からの赤外線の一部がカバー１２で反射されることがある。しかし、カバー１２内は、外周縁部がカバー１２に接触し遮光性を有している仕切板１４によって、受光部４が位置する第２の部屋１８と発光部４が位置する第１の部屋１６とが完全に仕切られているので、赤外線発光部６から投光され、カバー１２で反射された赤外線が受光部４に入射することはない。従って、特別に遮光体を設ける必要はなく、製造が容易になる。しかも、遮光体を設置するスペースを小さくするためにカバー１２に段部を形成する必要もなく、この赤外線発受光装置２の外観を損ねることもない。
【００２６】
なお、発光部６が設けられる第１の部屋１６をカバー１２の先端側に、受光部４が設けられる第２の部屋１８をカバー１２の基部１０側に設けることもできる。
【００２７】
赤外線発受光装置２では、図１から明らかなように赤外線発光部６の赤外線発光ダイオード２０は、基部１０の近傍にカバー１２の外方を向いて取り付けられている。そのため、カバー１２の先端の真下付近に送受話ユニットが存在する場合、この送受話ユニットに対して良好に赤外線を投光できない可能性がある。この点を改善したのが、図２に示す本発明の第２の実施形態の赤外線発受光装置２ａである。この赤外線発受光装置２ａにおいて図１に示した赤外線発受光装置２の構成要素と同一構成要素には、同一符号を付して、その説明を省略する。
【００２８】
赤外線発受光装置２ａでは、第２の部屋１８内に、第２の仕切板２６が設けられている。この仕切板２６も、その外周縁部が第２の部屋１８内においてカバー１２の内面に接するようにかつ天井とほぼ平行に配置されている。これによって、仕切板２６からカバー１２の先端部までの間に第３の部屋２８が形成されている。仕切板２６も、遮光性を有する材料製で、例えばプリント基板によって構成されている。第３の部屋２８内に、第２の赤外線発光部６ａを構成する複数の赤外線発光素子、例えば赤外線発光ダイオード２０ａが環状に配置されている。赤外線発光ダイオード２０ａは、仕切板２６に取り付けられている。
【００２９】
このように構成された赤外線発受光装置２ａでは、赤外線発光ダイオード２０ａによってカバー１２の先端の真下付近にも赤外線を投光することができる。無論、仕切板２６を設けてあるので、赤外線発光ダイオード２０ａからの赤外線の反射光が受光部４で受光されることはない。この実施の形態においても、発光部６が設けられる第１の部屋１６をカバー１２の先端側に、受光部４が設けられる第２の部屋１８をカバー１２の基部１０側に設けることもできる。但し、第３の部屋２８は、カバー１２の先端側のままである。
【００３０】
この赤外線発受光装置２ａでは、仕切板２６によって第３の部屋２８を仕切り必要がある。この点を改善したのが、図３に示す第３の実施形態の発受光装置２ｂである。この赤外線発受光装置２ｂにおいて図２に示した赤外線発受光装置２ａの構成要素と同一構成要素には、同一符号を付して、その説明を省略する。
【００３１】
この赤外線発受光装置２ｂでは、仕切板２６を設けずに、各赤外線発光ダイオード２０ａを、仕切板１４上に、各フォトダイオード２４よりも内側に環状に配置してある。各赤外線発光ダイオード２０ａは、その投光する赤外線の全てがカバー１２の先端側に向かわずに、赤外線の一部がフォトダイオード２４の背面側に向かうように傾けて配置されている。もし、全ての赤外線がカバー１２側に向かうように配置したならば、カバー１２で反射された赤外線の一部がフォトダイオード２４の受光面で受光される可能性がある。しかし、この赤外線発受光装置２ｂのように、赤外線発光ダイオード２０ａからの赤外線の一部がフォトダイオード２４の背面側に向かうように構成すると、反射された赤外線がフォトダイオード２４の受光面に入射する確率が減少する。
【００３２】
第３の実施形態の赤外線発受光装置２ｂでは、赤外線発光ダイオード２０ａの赤外線がフォトダイオード２４の受光面に入射する可能性がある。この点を改善したのが、図４に示す第４の実施形態の赤外線発受光装置２ｃである。この赤外線発受光装置２ｃにおいて図３に示した赤外線発受光装置２ｂの構成要素と同一構成要素には、同一符号を付して、その説明を省略する。
【００３３】
この赤外線発受光装置２ｃでは、図４に示すように各フォトダイオード２４を、赤外線発受光装置２ｂにおける設置位置よりもさらにカバー１２に近づけて、例えばほぼカバー１２に接するように配置してある。このように構成すると、赤外線発光ダイオード２０から投光され、カバー１２で反射された赤外線が、各フォトダイオード２４の受光面に入射しにくくなり、各フォトダイオード２４で受光される確率が非常に小さくなる。
【００３４】
第２の実施形態の赤外線発受光装置２ａでは、仕切板２６によって第２の部屋１８内に第３の部屋２８を形成する必要があった。第５の実施形態の赤外線発受光装置２ｄでは、図５に示すように、受光装置２ａと同様に仕切板１４の中央側に赤外線発光ダイオード２０ａを環状に配置してあるが、これら赤外線発光ダイオード２０ａが取り付けられている基板３０の周囲をカバー１２の先端側から基板３０まで伸びた遮光体製の筒状体３２によって覆ってある。筒状体３２と基板３０とは一体に形成されている。赤外線発光ダイオード２０ａからの赤外線は、カバー１２の先端部からのみ投光され、筒状体３２に向かった赤外線は筒状体３２によって遮光され、フォトダイオード２４に受光されることはない。また、カバー１２の先端部で反射された一部の赤外線は、筒状体３２によって遮光されるので、これもフォトダイオード２４に受光されることはない。
【００３５】
上述した各実施形態の赤外線発受光装置２、２ａ、２ｂ、２ｃ、２ｄは、天井に設置するものであったが、第６の実施形態の赤外線発受光装置２ｅは、会議場の机上に配置され、送受話セットと対向して配置されるものである。従って、図６に示すように基部１０側が机上に位置するように配置される。また、仕切板１４によってカバー１２内は第１及び第２の部屋１６ａ、１８ａに仕切られているが、発光ダイオード２０が配置されている第１の部屋１６ａが、カバー１２の先端側に形成され、フォトダイオード２４が設置されている第２の部屋１８ａが基部１０側に形成されている。
【００３６】
そして、発光ダイオード２０は、同図に点線で示すその光軸（赤外線の放射量が最も多い方向）が仕切板１４と平行にかつ外方を向くように配置されている。同様に各フォトダイオード２４は、同図に点線で示すその光軸（赤外線の受光量が最も多い方向）が仕切板１４と平行にかつ外方を向くように配置されている。
【００３７】
この場合、発光ダイオード２０から投光された赤外線のうちカバー１２で反射されたものは、殆ど赤外線発光ダイオード２０側に反射されるので、フォトダイオード２４で受光されることはない。仮に、一部の赤外線が光軸とは角度をなしてカバー１２側に投光され、反射されたとしても、仕切板１４によって遮光されるので、フォトダイオード２４で受光されることはない。さらに、この赤外線発受光装置２ｅは、机上に配置されているので、カバー１２の先端側から外乱光がカバー１２内に入射しやすい。しかし、フォトダイオード２４は、基部１０側に設けた第２の部屋１８ａ側に設置されているので、外乱光がカバー１２の先端側からカバー１２に入射しても、仕切板１４によって遮光され、フォトダイオード２４で受光されることはない。この実施の形態において、発光部６が設けられる第１の部屋１６ａをカバー１２の基部１０側に、受光部４が設けられる第２の部屋１８ａをカバー１２の先端側に、設けることもできる。
【００３８】
第２の実施形態の赤外線発受光装置２ａでは、赤外線をこの装置２ａの真下に向けて投光するために、第３の部屋２８を形成し、これに発光部６ａを設けなければならない。この点を改善したのが、図７に示す第７の実施形態の赤外線発受光装置２ｆである。なお、赤外線発受光装置２ｆにおいて第１の実施形態の赤外線発受光装置２の構成要素と同一部分には同一符号を付して、説明を省略する。
【００３９】
赤外線発受光装置２ｆでは、カバー１２の内方に、反射手段、例えば反射板３４が設けられている。この反射板３４は、カバー１２の内面の基部１０側全域に環状に形成されている。複数の赤外線発光ダイオード２０ａが、仕切板１４の第１の部屋１６側の面に環状に配置されている。これら発光ダイオード２０ａは、反射板３４に赤外線を投光することができるようにカバー１２側に傾けられている。この傾きを適切に設定することによって、点線で示すようにカバー１２の真下側に赤外線を投光することができる。反射板３４には環状のものを使用したが、各発光ダイオード２０ａに対応させて、複数の板状の反射板を配置することもできる。
【００４０】
赤外線発受光装置２ｆでは、複数の発光ダイオード２０ａが必要である。この点を改善したのが、図８に示す第８の実施形態の赤外線発受光装置２ｇである。なお、赤外線発受光装置２ｇにおいて、第７の実施形態の赤外線発受光装置２ｆの構成要素と同一部分には同一符号を付して、説明を省略する。
【００４１】
この赤外線発受光装置２ｇでは、仕切板１４の第１の部屋１６側の面の中央に、１台の赤外線発光ダイオード２０ｂが、赤外線発光部として設けられている。この発光ダイオード２０ｂは、指向性が広く、また発光強度が赤外線発受光装置２ｆにおいて使用した赤外線発光ダイオード２０ａよりも大きいものである。このように指向性の広いものを使用しているので、反射板３４で反射された赤外線中にカバー１２の真下に向かうものが存在する。
【００４２】
なお、発光ダイオード２０ｂの指向性は、発光ダイオード２０ｂの正面方向が窪み、両側に広がっているものを使用するのが望ましい。もし、発光ダイオード２ｂにその指向性の正面方向に窪みがないものを使用する場合には、図９に示す第９の実施形態の赤外線発受光装置２ｈのように、基板２２の第１の部屋１６側の面に中央から外方に向かって高さ寸法が縮小するように形成された円錐状の反射板３６を設ければよい。この場合、発光ダイオード２０ｂからの赤外線をカバー１２の真下だけでなく、様々な方向に投光することができる。
【００４３】
この実施の形態の赤外線発受光装置２ｈでは、カバー１２の内面側に反射板３４が設けられ、また、反射板を介さずに直接に赤外線を投光する発光ダイオード２０を設けているが、図１０に示す第１０の実施形態の赤外線発受光装置２ｉのように、反射板３４を除去し、発光ダイオード２０を除去することもできる。なお、反射板３４を残して、発光ダイオード２０を除去することもできるし、逆に反射板３４を除去し、発光ダイオード２０を残すこともできる。
【００４４】
上記の各実施の形態では、本発明による赤外線発受光装置を赤外線コードレスマイクロホンシステムにおいて使用したが、これに限ったものではなく、例えば双方向に赤外線によって送受信するシステムであれば、種々のものに使用することができる。
【図面の簡単な説明】
【００４５】
【図１】本発明の第１の実施形態の赤外線発受光装置の縦断面図である。
【図２】本発明の第２の実施形態の赤外線発受光装置の縦断面図である。
【図３】本発明の第３の実施形態の赤外線発受光装置の縦断面図である。
【図４】本発明の第４の実施形態の赤外線発受光装置の縦断面図である。
【図５】本発明の第５の実施形態の赤外線発受光装置の縦断面図である。
【図６】本発明の第６の実施形態の赤外線発受光装置の縦断面図である。
【図７】本発明の第７の実施形態の赤外線発受光装置の縦断面図である。
【図８】本発明の第８の実施形態の赤外線発受光装置の縦断面図である。
【図９】本発明の第９の実施形態の赤外線発受光装置の縦断面図である。
【図１０】本発明の第１０の実施形態の赤外線発受光装置の縦断面図である。
【符号の説明】
【００４６】
２  ２ａ乃至２ｉ  赤外線発受光装置
４  受光部
６  発光部
１２  カバー
１４  仕切板
【図１】
2005268606.tif 000003
【図２】
2005268606.tif 000004
【図３】
2005268606.tif 000005
【図４】
2005268606.tif 000006
【図５】
2005268606.tif 000007
【図６】
2005268606.tif 000008
【図７】
2005268606.tif 000009
【図８】
2005268606.tif 000010
【図９】
2005268606.tif 000011
【図１０】
2005268606.tif 000012